(57)【要約】      （修正有）【課題】設置場所を選ばず、１度に複数枚のショッピングバッグを不正に引き抜かれることのない無電源式ショッピングバッグ自動販売機を提供する。【解決手段】無電源式ショッピングバッグ自動販売機は、金銭投入口と、ハンドル２と、ハンドルの回転に対応して移動可能な、各々１つのショッピングバッグを吊るすための３つ若しくはそれ以上のフックが配置されたベルト１と、を有し、金銭投入口に所定の金額又は所定の金額以上の金銭が投入された場合に、ハンドルが所定量回転可能に構成され、ハンドルを所定量回すことで、複数のフックの整列方向に、ベルトがフック１個分移動するよう構成されている。【選択図】図１
0003223604.tif 000002
【実用新案登録請求の範囲】
【請求項１】
金銭投入口と、
ハンドルと、
前記ハンドルの回転に対応して移動可能な、３つ若しくはそれ以上のフックが配置されたベルトと、
を有し、
前記金銭投入口に所定の金額又は所定の金額以上の金銭が投入された場合に、前記ハンドルが所定量回転可能に構成され、
前記ハンドルを前記所定量回すことで、前記複数のフックの整列方向に、前記ベルトが前記フック１個分移動するよう構成されている、
無電源式ショッピングバッグ自動販売機。
【請求項２】
前記ベルトの一方の端部に位置するフックは、隣り合うフックのうち片側のフックとの間に間隙が設けられている、
請求項１に記載の無電源式ショッピングバッグ自動販売機。
【請求項３】
前記ベルトの一方の端部に位置するフック以外のフック間には間隙がない、
請求項１又は２に記載の無電源式ショッピングバッグ自動販売機。
【考案の詳細な説明】
【技術分野】
【０００１】
本考案は、無電源式ショッピングバッグ自動販売機に関する。
【背景技術】
【０００２】
従来より、ショッピングバッグを販売する自動販売機が知られている。例えば、特許文献１には、金銭が投入されることでロックが外れ、ショッピングバッグの受け渡しを可能となる電動式のショッピングバッグ自動販売機が開示されている。上記電動式ショッピングバッグ自動販売機において、ショッピングバッグを補充する際には、自動販売機に設けられた棒状の金具に、ショッピングバッグの持ち手部分を通しておき、最後にロックがかけられる。上記電動式ショッピングバッグ自動販売機は、一度に複数枚のショッピングバッグを短時間で補充することができるという利点を有する。
【先行技術文献】
【特許文献】
【０００３】
【特許文献１】実開昭４８−０５３９９６号公報
【考案の概要】
【考案が解決しようとする課題】
【０００４】
しかしながら、特許文献１に記載のショッピングバッグ自動販売機においては、電動式であることから、設置場所又は設置場所の近くには電源コンセントが必須となる。
【０００５】
また、特許文献１に記載のショッピングバッグ自動販売機は、ショッピングバッグ１枚毎にロックがかかっているわけではないため、ショッピングバッグ１枚分の金銭を投入してロックを解除した際に、複数枚のショッピングバッグが引き抜かれる場合があるという問題点を有していた。
【０００６】
本考案は、上記の点に鑑み提案されたものであり、その目的として、一つの側面では、設置場所を選ばず、１度に複数枚のショッピングバッグを不正に引き抜かれることのない無電源式ショッピングバッグ自動販売機を提供することにある。
【課題を解決するための手段】
【０００７】
本考案の一実施形態に係る無電源式ショッピングバッグ自動販売機は、金銭投入口と、ハンドルと、前記ハンドルの回転に対応して移動可能な、３つ若しくはそれ以上のフックが配置されたベルトと、を有し、前記金銭投入口に所定の金額又は所定の金額以上の金銭が投入された場合に、前記ハンドルが所定量回転可能に構成され、前記ハンドルを前記所定量回すことで、前記複数のフックの整列方向に、前記ベルトが前記フック１個分移動するよう構成されている。
【考案の効果】
【０００８】
本考案の実施形態によれば、一つの側面では、設置場所を選ばず、１度に複数枚のショッピングバッグを不正に引き抜かれることのない無電源式ショッピングバッグ自動販売機を提供することができる。
【図面の簡単な説明】
【０００９】
【図１】本実施形態に係る無電源式ショッピングバッグ自動販売機の概略正面図である。
【図２】本実施形態に係る無電源式ショッピングバッグ自動販売機の概略側面図である。
【図３】本実施形態に係る無電源式ショッピングバッグ自動販売機の内部の概略側面図である。
【図４】本実施形態に係る無電源式ショッピングバッグ自動販売機の概略背面図である。
【図５】本実施形態に係る無電源式ショッピングバッグ自動販売機の内部の概略背面図である。
【図６】本実施形態に係る無電源式ショッピングバッグ自動販売機の待機時の概略側面図である。
【図７】本実施形態に係る無電源式ショッピングバッグ自動販売機の販売時の概略側面図である。
【考案を実施するための形態】
【００１０】
以下、図面を参照して本実施形態に係る無電源式ショッピングバッグ自動販売機について、詳細に説明する。
【００１１】
（本体構成例）
図１に、本実施形態に係る無電源式ショッピングバッグ自動販売機の概略正面図を示す。また、図２に、本実施形態に係る無電源式ショッピングバッグ自動販売機の概略側面図を示す。
【００１２】
図１に示すように、本実施形態に係る無電源式ショッピングバッグ自動販売機は、台３上の本体の例えば中心部に、ショッピングバッグ（商品）を吊るすための複数、好ましくは３つ以上のフックが設けられたベルト１（フック付きベルト１）が配置されている。なお、複数のフックの各々には、１つのショッピングバッグ（商品）がかけられている。
【００１３】
また、本実施形態に係る無電源式ショッピングバッグ自動販売機は、例えば、本体の側面部にハンドル２が設けられている。ハンドル２は、図２に示す金銭投入口４に所定の金額（又はそれ以上の金額）が投入された場合に、所定量回すことが可能に構成されている。なお、図２に示す例では、ハンドル２が金銭投入口４と一体となった構成で示しているが、本発明はこの点において限定されず、ハンドル２と金銭投入口４とが個別に設けられる構成であっても良い。
【００１４】
そして、ハンドル２を所定量回すことで、前述の複数のフックは、フックの整列方向に、フック１個分移動するよう構成されている。ここで、図２に示すように、ベルトの一方の端部の位置（受け渡し位置）に位置するフックは、隣り合うフックのうち片方のフックとの間に間隙が設けられるように構成されている。即ち、購入者は、後述する金銭投入口４に所定の金額（又はそれ以上の金額）を投入してハンドル２を回すことで、複数のフックがフックの整列方向にフック１個分移動し、受け渡し位置に位置するフックにかかったショッピングバッグを受け取ることが可能となる。なお、図２に示す例では、複数のフックが鉛直方向に整列されており、最上段に位置するフックの位置が受け渡し位置となる例について示しているが、本発明はこの点において限定されない。
【００１５】
一方、図２に示すように、受け渡し位置にあるフック以外のフック間には間隙を実質的に発生させないように構成されている。これにより、受け渡し位置にあるフック以外のフックからは、ショッピングバッグを不正に引き抜かれることはない。なお、上記の間隙を実質的に発生させない、とは、ショッピングバッグを不正に引き抜かれない程度の間隙が存在してもよいことを意味する。
【００１６】
台３は、本実施形態に係る無電源式ショッピングバッグ自動販売機の安定性を確保するだけではなく、例えば下方のフックに吊るされたショッピングバッグが地面につかないようにする役割も有する。
【００１７】
（移動機構例）
次に、図３を参照して、本実施形態に係る無電源式ショッピングバッグ自動販売機のフックの移動機構例について説明する。図３に、本実施形態に係る無電源式ショッピングバッグ自動販売機の内部の概略側面図を示す。
【００１８】
図３に示すように、本実施形態に係る無電源式ショッピングバッグ自動販売機は、１乃至複数のプーリー６が設けられており、フック付きベルト１がかけられている。そして、金銭投入口４に所定の金額が投入された場合に、本体側面部のハンドル２’（点線部分）を所定の量だけ回すことで、プーリー６を介してフック付きベルト１が所定の量だけ回転することで、フックの位置も１フック分だけ移動するよう構成されている。なお、金銭投入口４に投入された金銭は、金銭投入口４に連通する金庫５内に貯まるように構成されている。
【００１９】
次に、図４を参照して、本実施形態に係る無電源式ショッピングバッグ自動販売機の背面構成例について説明する。図４に、本実施形態に係る無電源式ショッピングバッグ自動販売機の概略背面図を示す。
【００２０】
図４に示すように、本実施形態に係る無電源式ショッピングバッグ自動販売機は、例えば背面側に、図示しない鍵により施錠可能のメンテナンス用扉７が設けられている。本体のメンテナンス時や、金庫５から金銭を集金する際には、解錠して、ショッピングバッグを販売する際には施錠するよう構成される。
【００２１】
（商品補充例）
次に、ショッピングバッグ（商品）を補充する際の補充方法について、図５乃至図７を参照して説明する。図５に、本実施形態に係る無電源式ショッピングバッグ自動販売機の内部の概略背面図を示す。図６に、本実施形態に係る無電源式ショッピングバッグ自動販売機の待機時の概略側面図を示す。また、図７に、本実施形態に係る無電源式ショッピングバッグ自動販売機の販売時の概略側面図を示す。
【００２２】
図５に示すように、本実施形態に係る無電源式ショッピングバッグ自動販売機は、ベルトロック解除レバー８が設けられている。ベルトロック解除レバー８を作動させる（例えば引く）ことで、フック付きベルト１のロックが解除され、ベルトを自由に移動させることができる。ショッピングバッグ（商品）を補充する際には、ベルトロック解除レバー８を作動させることでベルトのロックを解除し、商品販売時とは逆方向にベルトを回転させることで、受け渡し位置にあるフックから順次ショッピングバッグをフックにかける。
【００２３】
なお、図７に示すように、ショッピングバッグ（商品）を販売する際には、購入者は、金銭投入口４に金銭を投入後に、ハンドル２を所定量回すと、ショッピングバッグを吊るフックが、図７に示す例では上方向へフック１個分回転するように構成されている。そのため、受け渡し位置（図７に示す例では最上段）にあるフックに吊るされたショッピングバッグのみ購入者は受け取り可能となる。
【符号の説明】
【００２４】
１：フック付きベルト
２：ハンドル
３：台
４：金銭投入口
５：金庫
６：プーリー
７：メンテナンス用扉
８：ベルトロック解除レバー
９：ショッピングバッグ
【図１】
0003223604.tif 000003
【図２】
0003223604.tif 000004
【図３】
0003223604.tif 000005
【図４】
0003223604.tif 000006
【図５】
0003223604.tif 000007
【図６】
0003223604.tif 000008
【図７】
0003223604.tif 000009